(57)【要約】      （修正有）【課題】鋼製デッキへの鉄筋トラスの取り付けを容易かつ確実にする鋼製デッキ用取り付け治具を提供する。【解決手段】鋼製デッキ用取り付け治具は、治具天面部２２および治具天面部２２の両側縁に延設された治具側面部２３ａ、２３ｂから形成された断面略Ｕ字状の治具本体部と、治具側面部２３ａ、２３ｂの端部から互いに離れる方向に突出して形成された治具脚部２７ａ、２７ｂとを有し、治具脚部２７ａ、２７ｂの治具先端縁２８ａ、２８ｂから所定の高さにスリット状の治具切欠２５ａ、２５ｂ（図示なし）と、その上側および下側に側面上突起２４ａ、２４ｂと、その下側に側面下突起２６ａ、２６ｂとが形成され、鉄筋トラス３０を構成する下弦材６０ａ、６０ｂの一部が、側面上突起２４ａ、２４ｂと側面下突起２６ａ、２６ｂとの間に着脱自在に侵入し、下弦材６０ａ、６０ｂの一部が治具側面部２３ａ、２３ｂに当接する。【選択図】図８
2014070336.tif 000002
【特許請求の範囲】
【請求項１】
構造物を形成する一方の梁と他方の梁とに長手方向の端部がそれぞれ設置された鋼製デッキに、鉄筋トラスを取り付けるための鋼製デッキ用取り付け治具であって、
治具天面部および該治具天面部の両側縁にそれぞれ延設された治具側面部から形成された断面略Ｕ字状の治具本体部と、前記治具側面部のそれぞれの端部から互いに離れる方向に突出して形成された一対の治具脚部とを有し、
前記治具側面部に、前記鉄筋トラスの一部が着脱自在に係止する治具係止部が形成され、
前記治具脚部の先端が、前記鋼製デッキに形成された凹溝に離脱自在に侵入することを特徴とする鋼製デッキ用取り付け治具。
【請求項２】
前記治具脚部が、前記治具本体部とは別部材によって形成されていることを特徴とする請求項１記載の鋼製デッキ用取り付け治具。
【請求項３】
前記治具係止部が、前記治具脚部の先端から所定の距離だけ離れた位置に形成されたスリット状の治具切欠と、前記治具切欠の前記治具天面部寄りに形成され、前記治具切欠に近づく程外側に突出する側面上突起と、前記治具切欠の前記治具脚部寄りに形成され、前記治具切欠に近づく程外側に突出する側面下突起と、を具備し、
前記鉄筋トラスの一部が、前記側面上突起と前記側面下突起との間に着脱自在に侵入し、前記側面上突起と前記側面下突起との間に着脱自在に侵入した範囲を除く前記鉄筋トラスの一部が、前記治具切欠を除く前記治具側面部に当接することを特徴とする請求項１または２記載の鋼製デッキ用取り付け治具。
【請求項４】
前記治具係止部が、前記治具脚部の先端から所定の距離だけ離れた位置で、内側に陥没する治具凹部を具備し、
前記鉄筋トラスの一部が、前記治具凹部に着脱自在に侵入することを特徴とする請求項１または２記載の鋼製デッキ用取り付け治具。
【請求項５】
前記治具係止部が、前記治具脚部の先端から所定の距離だけ離れた位置に形成されたスリット状の治具切欠と、前記治具脚部の先端から所定の距離だけ離れた位置で、前記治具切欠を除く範囲に形成された内側に陥没する治具凹部を具備し、
前記鉄筋トラスの一部が前記治具切欠に着脱自在に侵入すると共に、前記治具切欠に着脱自在に侵入した範囲を除く前記鉄筋トラスの一部が前記治具凹部に着脱自在に侵入することを特徴とする請求項１または２記載の鋼製デッキ用取り付け治具。
【請求項６】
前記治具脚部が、前記治具切欠に平行な治具先端縁と、該治具先端縁に対して傾斜した治具逃げ縁と、を具備することを特徴とする請求項１乃至５の何れか一項に記載の鋼製デッキ用取り付け治具。
【請求項７】
前記鋼製デッキは、曲げ加工された板金によって形成され、山頂面と、該山頂面に平行な谷底面と、前記山頂面と前記谷底面とを連結する傾斜面とを具備する波状の断面であって、前記傾斜面の前記谷底面に近い位置に前記谷底面と平行で互いに近づく方向に突出するように形成された突条と、を具備し、前記凹溝が前記突条と前記谷底面との間に形成され、
前記治具逃げ縁同士の距離が前記突条の先端同士の距離よりも短く、前記治具先端縁同士の距離が前記凹溝の奥同士の距離よりも長いことを特徴とする請求項６記載の鋼製デッキ用取り付け治具。
【請求項８】
前記鉄筋トラスは、線材によって形成され、略鋸歯状に折り曲げられ、互いに略Ｖ字状に配置された一対のラチス材と、前記一対のラチス材のそれぞれの上端が接合されている上弦材と、前記一対のラチス材のそれぞれの下端に接合されている一対の下弦材とを具備し、
前記下弦材の一部が、前記治具係止部に係止することを特徴とする請求項１乃至７の何れか一項に記載の鋼製デッキ用取り付け治具。
【発明の詳細な説明】
【技術分野】
【０００１】
本発明は鋼製デッキ用取り付け治具、特に、鋼製のデッキプレート（以下、単に「鋼製デッキ」と称す）に鉄筋トラスを取り付けるための鋼製デッキ用取り付け治具に関する。
【背景技術】
【０００２】
従来、コンクリートスラブは、一般的には鋼板を波形状に成形した鋼製デッキにコンクリートが打設されるものであって、コンクリート中には補強ないし補剛のための鉄筋が配設されている。すなわち、コンクリートスラブは構造物の一方の梁と他方の梁との間に設置されるものであって、一方の梁から他方の梁に向かう方向を「スパン方向」と称すると、鋼製デッキには、スパン方向の山状部分とスパン方向の谷状部分（溝状部分）とが、スパン方向に直角な方向で交互に形成され、谷状部分の底が狭くなった略コ字状の波形を呈し、一方、鉄筋は谷状部分にスパン方向と平行に配設されている。
そして、鉄筋を鋼製デッキから浮かせて配設するためのスペーサの配設を省略して、鉄筋の配設を容易にする目的で、予め所定位置に鉄筋が固定されている鉄筋配設体を鋼製デッキに取り付ける発明が開示されている（例えば、特許文献１参照）。
【先行技術文献】
【特許文献】
【０００３】
【特許文献１】実開平５−４２４３２号公報（第４−６頁、図１）
【発明の概要】
【発明が解決しようとする課題】
【０００４】
特許文献１に開示された考案は、鋼製デッキが、山状部分の山頂面と谷状部分の谷底面とが平行（正確には、それぞれの面の凹凸部を除く平坦面同士が平行）で、山頂面と谷底面とを結ぶ傾斜面の谷底面に近い位置に、スパン方向の凹条が形成されている。また、主筋配設体（鉄筋配設体）は、一対のラチス状屈曲鉄筋（ジグザグに折り曲げられている）のそれぞれの全ての上端が上端筋に接合され、一対のラチス状屈曲鉄筋のそれぞれの下部に下端筋を配設したうえで、そのラチス状屈曲鉄筋のそれぞれの下端が、互いに離れる方向に折り曲げられて支承部が形成されている。
【０００５】
そして、主筋配設体の支承部の先端が鋼製デッキの凹条に係止するものであるところ、主筋配設体は線材によって形成され、製作誤差がある。そこで、かかる係止を容易にするために、支承部の先端の凹部への係止量（侵入深さに相当する）を小さくすると、係止が不安点になって、支承部の先端が凹部から離脱することになり、反対に、係止を確実にするために、支承部の先端の凹部への係止量（侵入深さに相当する）を大きくすると、係止させることが困難あるいは不能になるという問題があった。
【０００６】
本発明は、前記問題を解決するものであって、鋼製デッキへの主筋配設体(鉄筋トラスに同じ）の取り付けを容易かつ確実にする鋼製デッキ用取り付け治具を提供することを目的とする。
【課題を解決するための手段】
【０００７】
（１）本発明に係る鋼製デッキ用取り付け治具は、構造物を形成する一方の梁と他方の梁とに長手方向の端部がそれぞれ設置された鋼製デッキに、鉄筋トラスを取り付けるための鋼製デッキ用取り付け治具であって、
治具天面部および該治具天面部の両側縁にそれぞれ延設された治具側面部から形成された断面略Ｕ字状の治具本体部と、前記治具側面部のそれぞれの端部から互いに離れる方向に突出して形成された一対の治具脚部とを有し、
前記治具側面部に、前記鉄筋トラスの一部が着脱自在に係止する治具係止部が形成され、前記治具脚部の先端が、前記鋼製デッキに形成された凹溝に離脱自在に侵入することを特徴とする。
【０００８】
（２）前記（１）において、前記治具脚部が、前記治具本体部とは別部材によって形成されていることを特徴とする。
【０００９】
（３）前記（１）または（２）において、前記治具係止部が、前記治具脚部の先端から所定の距離だけ離れた位置に形成されたスリット状の治具切欠と、前記治具切欠の前記治具天面部寄りに形成され、前記治具切欠に近づく程外側に突出する側面上突起と、前記治具切欠の前記治具脚部寄りに形成され、前記治具切欠に近づく程外側に突出する側面下突起と、を具備し、
前記鉄筋トラスの一部が、前記側面上突起と前記側面下突起との間に着脱自在に侵入し、前記側面上突起と前記側面下突起との間に着脱自在に侵入した範囲を除く前記鉄筋トラスの一部が、前記治具切欠を除く前記治具側面部に当接することを特徴とする。
【００１０】
（４）前記（１）または（２）において、前記治具係止部が、前記治具脚部の先端から所定の距離だけ離れた位置で、内側に陥没する治具凹部を具備し、
前記鉄筋トラスの一部が、前記治具凹部に着脱自在に侵入することを特徴とする。
【００１１】
（５）前記（１）または（２）において、前記治具係止部が、前記治具脚部の先端から所定の距離だけ離れた位置に形成されたスリット状の治具切欠と、前記治具脚部の先端から所定の距離だけ離れた位置で、前記治具切欠を除く範囲に形成された内側に陥没する治具凹部を具備し、
前記鉄筋トラスの一部が前記治具切欠に着脱自在に侵入すると共に、前記治具切欠に着脱自在に侵入した範囲を除く前記鉄筋トラスの一部が前記治具凹部に着脱自在に侵入することを特徴とする。
【００１２】
（６）前記（１）乃至（５）の何れかにおいて、前記治具脚部が、前記治具切欠に平行な治具先端縁と、該治具先端縁に対して傾斜した治具逃げ縁と、を具備することを特徴とする。
【００１３】
（７）前記（６）において、前記鋼製デッキは、曲げ加工された板金によって形成され、山頂面と、該山頂面に平行な谷底面と、前記山頂面と前記谷底面とを連結する傾斜面とを具備する波状の断面であって、前記傾斜面の前記谷底面に近い位置に前記谷底面と平行で互いに近づく方向に突出するように形成された突条と、を具備し、前記凹溝が前記突条と前記谷底面との間に形成され、
前記治具逃げ縁同士の距離が前記突条の先端同士の距離よりも短く、前記治具先端縁同士の距離が前記凹溝の奥同士の距離よりも長いことを特徴とする。
【００１４】
（８）前記（１）乃至（７）の何れかにおいて、前記鉄筋トラスは、線材によって形成され、略鋸歯状に折り曲げられ、互いに略Ｖ字状に配置された一対のラチス材と、前記一対のラチス材のそれぞれの上端が接合されている上弦材と、前記一対のラチス材のそれぞれの下端に接合されている一対の下弦材とを具備し、
前記下弦材の一部が、前記治具係止部に係止することを特徴とする。
【発明の効果】
【００１５】
本発明に係る鋼製デッキ用取り付け治具は、以下の効果を奏する。
（ｉ）治具係止部と治具脚部とを有するため、鉄筋トラス（特許文献１に記載された主筋配設体に相当する）に製作誤差がある場合でも、治具係止部によって鉄筋トラスは鋼製デッキ用取り付け治具に係止し、また、治具脚部によって鋼製デッキ用取り付け治具は鋼製デッキ（鋼製デッキに相当する）に取り付けられるから、鉄筋トラスを鋼製デッキに対して所定の位置に容易かつ確実に取り付けることができる。
また、治具天面部と治具側面部とから形成された治具本体部と、治具側面部に連続した治具脚部とを有し、治具係止部が、治具切欠、側面上突起および側面下突起を具備する簡素な形状であるため、製作が容易で、製造コストが安価になる（例えば、板材を機械加工またはブランキングした後、曲げ加工する等）。
【００１６】
（ｉｉ）また、治具脚部が治具本体部とは別部材によって形成されているから、製造方法（加工方法や材料選択等）の自由度が増し、製造コストがさらに安価になる。
（ｉｉｉ）また、治具天面部および治具側面部から形成された治具本体部と、治具側面部に連続した治具脚部とを有し、治具係止部が、治具切欠、側面上突起および側面下突起によって形成された簡素な形状であるため、製作が容易で、製造コストが安価になる（例えば、板材を機械加工またはブランキングした後、曲げ加工する等）。
【００１７】
（ｉｖ）また、治具係止部が、主筋トラスの一部が侵入する治具凹部を具備するため、製作が容易で、製造コストが安価になる（例えば、押し出し加工した後、機械加工する等）。
（ｖ）さらに、治具係止部が、治具切欠と治具凹部とを具備するから、製作が容易で、製造コストが安価になる（例えば、押し出し加工した後、機械加工したり、単純形状の型によって鋳造したり等）。
【００１８】
（ｖｉ）さらに、治具脚部が、治具先端縁と治具逃げ縁とを具備するため、治具逃げ縁によって鋼製デッキ用取り付け治具の鋼製デッキへの取り付けが容易になり、治具先端縁によって鋼製デッキ用取り付け治具の鋼製デッキへの取り付けが確実になる。
（ｖｉｉ）そして、治具逃げ縁同士の距離が、鋼製デッキに形成された突条のうち対向する突条の先端同士の距離よりも短いため、治具逃げ縁を当該突条の先端と平行にすれば、治具先端部を鋼製デッキの谷底面に容易に押し当てることができ、治具先端縁同士の距離が、鋼製デッキに形成された凹溝のうち対向する凹溝の奥同士の距離よりも長いため、治具先端部を鋼製デッキの谷底面に押し当てながら、谷底面の法線を回転中心として回転するだけで、鋼製デッキ用取り付け治具を鋼製デッキに確実に取り付けることができる。
（ｉｘ）また、鉄筋トラスは、線材によって形成され、一対のラチス材と、一対の上弦材と、一対の下弦材とを具備するため、鉄筋トラスに製作誤差がある場合でも、下弦材は弾性変形して鋼製デッキ用取り付け治具に確実に係止する。
【図面の簡単な説明】
【００１９】
【図１】本発明の実施の形態１に係る鋼製デッキ用取り付け治具を説明するものであって、（ａ）は平面図、（ｂ）は正面視の断面図（Ａ−Ａ断面）、（ｃ）は正面視の断面図（Ｂ−Ｂ断面）、（ｄ）は側面図。
【図２】図１に示す鋼製デッキ用取り付け治具の使用状態を示す正面図。
【図３】図１に示す鋼製デッキ用取り付け治具の使用状態を示す平面図。
【図４】図１に示す鋼製デッキ用取り付け治具の使用状態を示す側面図。
【図５】図１に示す鋼製デッキ用取り付け治具を取り付ける鋼製デッキの正面図。
【図６】図１に示す鋼製デッキ用取り付け治具に取り付けられる鉄筋トラスを示す正面図および側面図。
【図７】図１に示す鋼製デッキ用取り付け治具の鋼製デッキへの設置要領を示す平面図。
【図８】図１に示す鋼製デッキ用取り付け治具への鉄筋トラスの取り付け状態を示す斜視図。
【図９】本発明の実施の形態２に係る鋼製デッキ用取り付け治具を示す斜視図。
【図１０】本発明の実施の形態３に係る鋼製デッキ用取り付け治具を示す斜視図。
【図１１】本発明の実施の形態４に係る鋼製デッキ用取り付け治具を示す斜視図。
【発明を実施するための形態】
【００２０】
［実施の形態１］
図１〜図８は本発明の実施の形態１に係る鋼製デッキ用取り付け治具を説明するものであって、図１の（ａ）は平面図、図１の（ｂ）は正面視の断面図（Ａ−Ａ断面）、図１の（ｃ）は正面視の断面図（Ｂ−Ｂ断面）、図１の（ｄ）は側面図、図２は使用状態を示す正面図、図３は使用状態を示す平面図、図４は使用状態を示す側面図、図５は鋼製デッキの正面図、図６の（ａ）は取り付けられる鉄筋トラスを示す正面図、図６の（ｂ）は取り付けられる鉄筋トラスを示す側面図、図７の（ａ）および（ｂ）は鋼製デッキへの設置要領を示す平面図、図８は鉄筋トラスの取り付け状態を示す斜視図である。なお、各図は模式的に示すものであって、誇張して描いた部分がある。
以下、取り付け治具２０は、構造物を形成する一方の梁と他方の梁とに長手方向の端部がそれぞれ設置された鋼製デッキに、鉄筋トラスを取り付けるためのものであるから、まず、「取り付け治具」について説明し、続いて、「鋼製デッキ」および「鉄筋トラス」について説明した後、「取り付け治具の鋼製デッキへの設置要領」および「鉄筋トラスの取り付け治具への取り付け要領」について説明する。
【００２１】
（取り付け治具）
図１において、鋼製デッキ用取り付け治具（以下「取り付け治具」と称す）２０は、治具天面部２２および治具天面部２２の両側縁から下方に延設された治具側面部２３ａ、２３ｂから形成された断面略Ｕ字状の治具本体部２１と、治具側面部２３ａ、２３ｂの下端から互いに離れる方向に突出した治具脚部２７ａ、２７ｂとを具備している。
このとき、治具天面部２２と治具側面部２３ａ、２３ｂとの境界や、治具側面部２３ａ、２３ｂと治具脚部２７ａ、２７ｂとの境界は、滑らかな略円弧によって繋がっているが、それぞれの範囲の位置関係を明瞭にするため、図１の（ａ）に実線を記載する（その他の図においても同様）。
【００２２】
治具側面部２３ａ、２３ｂには、両端面からそれぞれ幅方向の中央に向かって治具切欠２５ａ、２５ｂが形成されている。そして、治具切欠２５ａ、２５ｂの上方（治具天面部２２寄り）には治具切欠２５ａ、２５ｂに近づく程、側方（外側）への突出量が大きくなる側面上突起２４ａ、２４ｂと、治具切欠２５ａ、２５ｂの下方（治具脚部２７ａ、２７ｂ寄り）には治具切欠２５ａ、２５ｂに近づく程、側方（外側）への突出量が大きくなる側面下突起２６ａ、２６ｂとが形成されている。
なお、側面上突起２４ａ、２４ｂの下側縁と側面下突起２６ａ、２６ｂの上側縁との間隔は、後記する下弦材６０ｂ（図８参照）が侵入自在な大きさになっている。
【００２３】
また、治具脚部２７ａ、２７ｂはそれぞれ治具側面部２３ａ、２３ｂから互いに離れる方向に延設され、それぞれ治具切欠２５ａ、２５ｂに平行な治具先端縁２８ａ、２８ｂと、治具先端縁２８ａ、２８ｂに対して所定の角度を具備する治具逃げ縁２９ａ、２９ｂとを具備する。このとき、治具逃げ縁２９ａと治具逃げ縁２９ｂとは平行になっている。
なお、治具切欠２５ａと治具切欠２５ｂとが略面対称に配置され、それぞれ一対だけ形成されているが、本発明はこれに限定するものではなく、それぞれが略面対称にならない相違する位置に配置されたり、それぞれが１個所（一方の端面または幅方向の中央部等）や３個所以上に配置されてもよい。
【００２４】
そして、取り付け治具２０の製造方法は限定するものではないが、前記のように簡素な形状であるから、例えば、板材を機械加工またはブランキングした後、曲げ加工するだけで、容易かつ安価に製造することができる。
また、取り付け治具２０は複数の部材を接合することによって形成してもよい。例えば、治具本体部２１と治具脚部２７ａと治具脚部２７ｂとをそれぞれ別材料の板材によって形成し、それぞれを接合してもよい。このとき、治具脚部２７ａ、２７ｂは、治具逃げ縁２９ａ、２９ｂを有しない矩形状にしてもよい。さらに、治具本体部２１を板材によって形成し、治具脚部２７ａおよび治具脚部２７ｂをそれぞれコ字状に曲げ加工した線材・棒材等によって形成し、コ字状に形成された両端部を治具側面部２３ａ、２３ｂの下縁に接合するようにしてもよい。
【００２５】
（使用要領）
図２〜図４において、単位当たり（一枚当たり）の鋼製デッキ１０自体の長さ方向（スパン方向に相当する）の端部１１、１２が、構造物（図示しない）を形成する一方の梁９１と他方の梁９２にそれぞれ設置され、鋼製デッキ１０に所定の間隔を空けて取り付け治具２０が設置され、取り付け治具２０に鉄筋トラス３０が取り付けられている。
なお、鉄筋トラス３０が単位当たりの鋼製デッキ１０自体の長さ方向の端部１１、１２から離れた範囲に配置され、鉄筋トラス３０の長さが鋼製デッキ１０の長さよりも短くなっているが、本発明はこれに限定するものではなく、鉄筋トラス３０の長さ（Ｔ）が鋼製デッキ１０の長さに同じであってもよい。
【００２６】
（鋼製デッキ）
図５において、一例として、単位当たりの鋼製デッキ１０を示すもので、鋼製デッキ１０は、板金が曲げ加工されたものであって、それぞれスパン方向に形成された、山頂面１３ａ、１３ｂ（互いに同一面内に位置している）と、山頂面１３ａ、１３ｂに平行な谷底面１４ａ、１４ｂ、１４ｃと、山頂面１３ａと谷底面１４ａとを連結する傾斜面１５ａと、山頂面１３ａと谷底面１４ｂとを連結する傾斜面１５ｂと、山頂面１３ｂと谷底面１４ｂとを連結する傾斜面１５ｃと、山頂面１３ｂと谷底面１４ｃとを連結する傾斜面１５ｄと、を具備している。
すなわち、正面視（スパン方向に垂直な断面に同じ）において、山頂面１３ａ、１３ｂに近い程、対向する傾斜面１５ｂと傾斜面１５ｃとの距離が拡大する略コ字状の波状のジグザク形状を呈している。
また、傾斜面１５ａ、１５ｂ、１５ｃ、１５ｄには、それぞれ複数の押圧加工により形成させたエンボス１９ａ、１９ｂ、１９ｃ、１９ｄ（図４にエンボス１９ｄのみ示す）が形成されている。
【００２７】
そして、谷底面１４ａの側縁（傾斜面１５ａの反対側）には、鋼製デッキ１０同士を連結するための連結部１６ａが形成され、谷底面１４ｃの側縁（傾斜面１５ｄの反対側）には、鋼製デッキ１０同士を連結するための連結部１６ｂが形成されている。
すなわち、一方の鋼製デッキ１０の連結部１６ａと他方の鋼製デッキ１０の連結部１６ｂとが互いに係合することによって、一方の鋼製デッキ１０の連結部１６ａと他方の鋼製デッキ１０とを連結される。また、一方の鋼製デッキ１０の傾斜面１５ａおよび谷底面１４ａと、他方の鋼製デッキ１０の傾斜面１５ｄおよび谷底面１４ｃとによって、上方が広くなった空間（溝）が形成される。
また、傾斜面１５ｂと谷底面１４ｂと傾斜面１５ｃとによって形成される上方が広くなった略コ字状の空間（溝）が形成されている。
また、連結部１６ａは下方が開口した略Ｊ字状であり、連結部１６ｂは上方が開口した略Ｊ字状であるから、両者を係合して連結した際、当該連結部から、鋼製デッキ１０上に打設されるコンクリート（図示しない）が流れ出すことがない。なお、連結部１６ａを上下方が開口した略Ｊ字状にして、連結部１６ｂを下方が開口した略Ｊ字状にしてもよい。
【００２８】
さらに、傾斜面１５ａには谷底面１４ａに近い位置に谷底面１４ａと平行で、連結部１６ａの側に突出した突条１７ａが形成され、突条１７ａと谷底面１４ａとの間に凹溝１８ａが形成されている。同様に、傾斜面１５ｂには谷底面１４ｂに近い位置に谷底面１４ｂと平行で傾斜面１５ｃ側に突出した突条１７ｂが形成され、突条１７ｂと谷底面１４ｂとの間に凹溝１８ｂが形成され、傾斜面１５ｃには谷底面１４ｂに近い位置に谷底面１４ｂと平行で傾斜面１５ｂ側に突出した突条１７ｃが形成され、突条１７ｃと谷底面１４ｂとの間に凹溝１８ｃが形成され、傾斜面１５ｄには谷底面１４ｃに近い位置に谷底面１４ｃと平行で連結部１６ｂ側に突出した突条１７ｄが形成され、突条１７ｄと谷底面１４ｃとの間に凹溝１８ｄが形成されている。これらの鋼製デッキ１０をデッキ幅方向（スパン方向と直角な方向）を適宜複数枚敷き並べて、連結部１６ａ、１６ｂにより連結するものである。
なお、鋼製デッキの形状は、図に示した実施例に限定されるものではなく、山形状や谷形状、若しくはそれらのプロポーション、およびエンボス１９ａ〜１９ｄの形状・個数等は、適宜選択できるものである。
【００２９】
（鉄筋トラス）
図６において、鉄筋トラス３０は線材によって形成され、略鋸歯状（ジグザク）に折り曲げられた一対のラチス材４０ａ、４０ｂと、一対のラチス材４０ａ、４０ｂのそれぞれの上端（折り曲げ部に同じ、以下「ラチス材上端」と称す）４３ａ、４３ｂが接合されている上弦材５０と、一方のラチス材４０ａの下端（折り曲げ部に同じ、以下「ラチス材下端」と称す）４４ａが接合されている下弦材６０ａと、他方のラチス材４０ｂの下端（折り曲げ部に同じ、以下「ラチス材下端」と称す）４４ｂが接合されている下弦材６０ｂとを具備し、正面視で略Ｖ字状を呈している。
なお、上弦材５０に、ラチス材４０ａのラチス材端部４１ａ、４２ａおよびラチス材４０ｂのラチス材端部４１ｂ、４２ｂが接続される場合、あるいは、下弦材６０ａにラチス材４０ａのラチス材端部４１ａ、４２ａおよび下弦材６０ｂにラチス材４０ｂのラチス材端部４１ｂ、４２ｂがそれぞれ接続される場合（図３、図６参照）がある。
なお、鉄筋トラス３０のラチス材下端４４ａ、４４ｂに、特許文献１の図２に開示されたような支承部が形成されてもよい。鉄筋トラス３０は、その構造や形状においてそのバリエーションを包含するものである。
【００３０】
（取り付け治具の鋼製デッキへの設置要領）
図７の（ａ）において、取り付け治具２０の治具逃げ縁２９ａ、２９ｂが、鋼製デッキ１０の突条１７ｂ、１７ｃの先端と平行になった状態で、取り付け治具２０の治具脚部２７ａ、２７ｂを、鋼製デッキ１０の谷底面１４ｂに押し付ける。すなわち、治具逃げ縁２９ａと治具逃げ縁２９ｂとの距離ｌ（エル）が、突条１７ｂと突条１７ｃとの距離Ｍよりも小さくなっている（ｌ＜Ｍ）から、治具逃げ縁２９ａ、２９ｂは突条１７ｂ、１７ｃの先端に干渉することはない。
【００３１】
図７の（ｂ）において、治具脚部２７ａ、２７ｂを鋼製デッキ１０の谷底面１４ｂに押し付けたまま、取り付け治具２０を、谷底面１４ｂの法線を回転中心にして回転する。この取り付け治具２０の治具逃げ縁２９ａ、２９ｂの位置関係により、この場合はこの様な回転方向になる（治具逃げ縁２９ａ、２９ｂを反対位置に形成した場合には、前記とは逆回転となる）。
そうすると、取り付け治具２０の治具先端縁２８ａ、２８ｂは、それぞれ凹溝１８ｂ、１８ｃ内に侵入し、凹溝１８ｂ、１８ｃによって、治具脚部２７ａと治具脚部２７ｂ（治具先端縁２８ａと治具先端縁２８ｂに同じ）とが互いに近づく方向に把持され、かつ、突条１７ｂ、１７ｃ（正確には、凹溝１８ｂ、１８ｃを形成する突条１７ｂ、１７ｃの下側の面）によって下方に押し付けられる。
すなわち、取り付け治具２０の回転初期は、治具先端縁２８ａと治具逃げ縁２９ａとの交差部（角部）、および治具先端縁２８ｂと治具逃げ縁２９ｂとの交差部（角部）が、それぞれ凹溝１８ｂおよび凹溝１８ｃに強く当接（摺動）して、治具側面部２３ａ、２３ｂを弾性変形させ、さらに、取り付け治具２０の回転が進んだところで、治具先端縁２８ａ、２８ｂと凹溝１８ｂ、１８ｃとが平行になる。
【００３２】
このとき、治具先端縁２８ａと治具先端縁２８ｂとの距離Ｌ（図１の（ｂ）参照）が、凹溝１８ｂの奥（凹溝１８ｂを形成する突条１７ｂの下面と谷底面１４ｂとが交差する部分に相当する）と凹溝１８ｃの奥（凹溝１８ｃを形成する突条１７ｃの下面と谷底面１４ｂとが交差する部分に相当する）との距離Ｎよりも長くなっている（Ｌ＞Ｎ）から、治具側面部２３ａ、２３ｂの弾性変形量は減少するものの、依然、弾性変形した状態であるから、前記のように、取り付け治具２０の治具先端縁２８ａ、２８ｂは、凹溝１８ｂ、１８ｃによって把持される。
したがって、取り付け治具２０は、簡単な操作によって、鋼製デッキ１０と確実に当接し、互いに力を受け渡すことができる状態になっている。
【００３３】
（鉄筋トラスの取り付け治具への取り付け要領）
図８において、鋼製デッキ１０（図示しない）に設置された状態の取り付け治具２０に鉄筋トラス３０が取り付けられている。
すなわち、鉄筋トラス３０の下弦材６０ａと下弦材６０ｂとを引き離して、両者の間隔を広くし（略Ｖ字状の開き角度を拡大し）、下弦材６０ａを側面上突起２４ａの下側縁と側面下突起２６ａの上側縁との間に配置し、下弦材６０ｂを側面上突起２４ｂの下側縁と側面下突起２６ｂの上側縁との間に配置し、その後、下弦材６０ａと下弦材６０ｂとの引き離しを中止して弾性復元させ、両者の間隔を狭くする。
そうすると、下弦材６０ａは側面上突起２４ａの下側縁と側面下突起２６ａの上側縁との間に侵入して、治具側面部２３ａに当接し、下弦材６０ｂは側面上突起２４ｂの下側縁と側面下突起２６ｂの上側縁との間に侵入して、治具側面部２３ｂに当接する。すなわち、下弦材６０ａ、６０ｂは弾性変形した状態で、治具側面部２３ａ、２３ｂを互いに近づく方向に把持している。
したがって、鉄筋トラス３０は、簡単な操作によって、取り付け治具２０と確実に当接し、鋼製デッキ１０との間で互いに力を受け渡すことができる状態になっている。
【００３４】
［実施の形態２］
図９は本発明の実施の形態２に係る鋼製デッキ用取り付け治具を示す斜視図である。なお、実施の形態１と同じ部分または相当する部分には同じ符号を付し、一部の説明を省略する。
図９において、鋼製デッキ用取り付け治具（以下「取り付け治具」と称す）２０１は、治具側面部２３ａ、２３ｂの幅方向の略中央に、治具切欠２５ａ、２５ｂが形成され、治具切欠２５ａ、２５ｂの上方および下方にそれぞれ側面上突起２４ａ、２４ｂおよび側面下突起２６ａ、２６ｂが形成されている。
【００３５】
すなわち、取り付け治具２０１は、治具切欠２５ａ、２５ｂは治具側面部２３ａ、２３ｂに挟まれているのに対し、実施の形態１で説明した取り付け治具２０は、治具側面部２３ａ、２３ｂが、一対の治具切欠２５ａ、２５ｂによって挟まれている。
したがって、ラチス材４０ａ、４０ｂの下弦材６０ａ、６０ｂは、２個所において、側面上突起２４ａ、２４ｂの下縁と側面下突起２６ａ、２６ｂの上縁との間に侵入し、１個所において、治具側面部２３ａ、２３ｂに当接し、実施の形態１で説明した取り付け治具２０と同様に、容易かつ確実に取り付け治具２０１に取り付けられる。また、取り付け治具２０１は取り付け治具２０と同様に簡素な構造であるから、安価に製造することができる。
なお、取り付け治具２０１は治具切欠２５ａ、２５ｂが略面対称にそれぞれ１個だけ形成されているが、本発明はこれに限定するものではなく、それぞれを非対称（幅が相違する）にしたり、幅方向で複数にしたりしてもよい。
【００３６】
［実施の形態３］
図１０は本発明の実施の形態３に係る鋼製デッキ用取り付け治具を示す斜視図である。なお、実施の形態１および実施の形態２と同じ部分または相当する部分には同じ符号を付し、一部の説明を省略する。
図１０において、鋼製デッキ用取り付け治具（以下「取り付け治具」と称す）２０２は、治具側面部２３ａ、２３ｂに、治具先端縁２８ａ、２８ｂと平行な治具凹部７０ａ、７０ｂが形成されている。治具凹部７０ａ、７０ｂはラチス材４０ａ、４０ｂの下弦材６０ａ、６０ｂが侵入自在な大きさを有している。
【００３７】
したがって、取り付け治具２０２は、例えば、押し出し加工によって、当該断面の長尺材を形成し、所定の長さ（幅）に切断して、治具脚部２７ａ、２７ｂに治具逃げ縁２９ａ、２９ｂを形成（角部を切断する）するだけで容易に製造することができるから、製造コストがさらに安価になる。
また、取り付け治具２０２は取り付け治具２０と同様に、容易かつ確実に、ラチス材４０ａ、４０ｂの下弦材６０ａ、６０ｂを取り付けることができる。
なお、治具側面部２３ａ、２３ｂは平面状であるが、本発明はこれに限定するものではなく、治具凹部７０ａ、７０ｂに近づく程、外側に向かって突出するように「く字状」に屈曲してもよい。また、治具凹部７０ａ、７０ｂの断面形状は円弧状に限定するものではない。
【００３８】
［実施の形態４］
図１１は本発明の実施の形態４に係る鋼製デッキ用取り付け治具を示す斜視図である。なお、実施の形態１および実施の形態３と同じ部分または相当する部分には同じ符号を付し、一部の説明を省略する。
図１１において、鋼製デッキ用取り付け治具（以下「取り付け治具」と称す）２０３は、治具側面部２３ａ、２３ｂの幅方向の略中央部に、治具先端縁２８ａ、２８ｂと平行な治具凹部７０ａ、７０ｂが形成、治具先端縁２８ａ、２８ｂを挟むように一対の治具切欠２５ａ、２５ｂが形成されている。
【００３９】
したがって、取り付け治具２０３は、実施の形態３の取り付け治具２０２において、治具凹部７０ａ、７０ｂを幅方向の略中央に限定し、治具凹部７０ａ、７０ｂと同じ高さ方向の位置（治具先端縁から、治具凹部７０ａ、７０ｂと同じ距離）に、治具切欠２５ａ、２５ｂを形成したものに相当する。
そして、実施の形態１の取り付け治具２０では、一対の治具切欠２５ａ、２５ｂを形成した後、側面上突起２４ａ、２４ｂおよび側面下突起２６ａ、２６ｂを形成（曲げ加工）していたのに準じ、取り付け治具２０３は、一対の治具切欠２５ａ、２５ｂを形成した後、治具凹部７０ａ、７０ｂを形成（曲げ加工）すればよい。したがって、製造コストを安価に押さえることができると共に、ラチス材４０ａ、４０ｂの下弦材６０ａ、６０ｂを、確実にまた容易かつ安価に取り付けることができる。
【産業上の利用可能性】
【００４０】
本発明は以上の構成であるから、製造コストが安価で、ラチス材を容易かつ安価に取り付けることができるから、各種建築構造物に設置される各種大きさや各種形態の鋼製デッキ用取り付け治具として広く利用することができる。
【符号の説明】
【００４１】
１０   鋼製デッキ
１１   端部
１２   端部
１３ａ 山頂面
１３ｂ 山頂面
１４ａ 谷底面
１４ｂ 谷底面
１４ｃ 谷底面
１５ａ 傾斜面
１５ｂ 傾斜面
１５ｃ 傾斜面
１５ｄ 傾斜面
１６ａ 連結部
１６ｂ 連結部
１７ａ 突条
１７ｂ 突条
１７ｃ 突条
１７ｄ 突条
１８ａ 凹溝
１８ｂ 凹溝
１８ｃ 凹溝
１８ｄ 凹溝
１９ａ〜１９ｄ エンボス
２０   取り付け治具（実施の形態１）
２１   治具本体部
２２   治具天面部
２３ａ 治具側面部
２３ｂ 治具側面部
２４ａ 側面上突起
２４ｂ 側面上突起
２５ａ 治具切欠
２５ｂ 治具切欠
２６ａ 側面下突起
２６ｂ 側面下突起
２７ａ 治具脚部
２７ｂ 治具脚部
２８ａ 治具先端縁
２８ｂ 治具先端縁
２９ａ 治具逃げ縁
２９ｂ 治具逃げ縁
３０   鉄筋トラス
４０ａ ラチス材
４０ｂ ラチス材
４１ａ ラチス材端部
４１ｂ ラチス材端部
４２ａ ラチス材端部
４２ｂ ラチス材端部
４３ａ ラチス材上端
４３ｂ ラチス材上端
４４ａ ラチス材下端
４４ｂ ラチス材下端
５０   上弦材
６０ａ 下弦材
６０ｂ 下弦材
７０ａ 治具凹部
７０ｂ 治具凹部
９１   梁
９２   梁
２０１   取り付け治具（実施の形態２）
２０２   取り付け治具（実施の形態３）
２０３   取り付け治具（実施の形態４）
【図１】
2014070336.tif 000003
【図２】
2014070336.tif 000004
【図３】
2014070336.tif 000005
【図４】
2014070336.tif 000006
【図５】
2014070336.tif 000007
【図６】
2014070336.tif 000008
【図７】
2014070336.tif 000009
【図８】
2014070336.tif 000010
【図９】
2014070336.tif 000011
【図１０】
2014070336.tif 000012
【図１１】
2014070336.tif 000013